(57)【要約】【課題】印字用フォーマットで表示された所定データを、実際に印字することなく簡単な操作でオペレータに確認させることができる制御装置及びプリンタを提供する。【解決手段】制御装置は、所定データを第１フォーマットで表示する第１表示欄と、前記所定データを第２フォーマットで表示する第２表示欄と、を表示手段に表示させる制御手段を備える。制御手段は、前記所定データを第１字数まで第１表示欄に表示させ、第１字数よりも多い第２字数まで前記所定データを第２表示欄に表示させてもよい。操作入力を受け付ける操作手段を第１表示欄に備え、制御手段は、操作手段が操作入力を受け付けた場合、第２表示欄を表示させてもよい。【選択図】図１
2014104706.tif 000002
【特許請求の範囲】
【請求項１】
所定データを第１フォーマットで表示する第１表示欄と、前記所定データを第２フォーマットで表示する第２表示欄と、を表示手段に表示させる制御手段
を備えることを特徴とする制御装置。
【請求項２】
前記制御手段は、前記所定データを第１字数まで前記第１表示欄に表示させ、前記第１字数よりも多い第２字数まで前記所定データを前記第２表示欄に表示させることを特徴とする請求項１に記載の制御装置。
【請求項３】
操作入力を受け付ける操作手段
を前記第１表示欄に備え、
前記制御手段は、前記操作手段が操作入力を受け付けた場合、前記第２表示欄を表示させることを特徴とする請求項１又は請求項２に記載の制御装置。
【請求項４】
前記制御手段は、前記操作手段としてのアイコン画像を前記第１表示欄に表示させることを特徴とする請求項３に記載の制御装置。
【請求項５】
請求項１から請求項４のいずれか一項に記載の制御装置と、
前記所定データを前記第２フォーマットで媒体に印字する印字手段と、
を備えることを特徴とするプリンタ。
【発明の詳細な説明】
【技術分野】
【０００１】
本発明は、制御装置及びプリンタに関する。
【背景技術】
【０００２】
ラベルの印字領域に印字データが入り切らない場合におけるエラー処置を改善することを目的としたラベルプリンタが、特許文献１に開示されている。
【先行技術文献】
【特許文献】
【０００３】
【特許文献１】特開平１０−３２４３２０号公報
【発明の概要】
【発明が解決しようとする課題】
【０００４】
ところで、品名などの印字データをラベルプリンタに入力する際、オペレータは、入力中の印字データが表示されている画面を見ながら、制御装置を操作することにより、ラベルプリンタに印字データを入力することがある。
【０００５】
しかしながら、例えば、印字データと他のデータとが混在して画面に表示される場合、印字データを表示する表示欄の大きさが制限されるので、そのような場合、制御装置は、正しい印字データか否かを、実際に印字してからでないとオペレータに確認させることができない、という問題がある。また、印字される印字データに装飾が付されているような場合でも、制御装置は、正しい印字データか否かを、実際に印字してからでないとオペレータに確認させることができない、という問題がある。
【０００６】
本発明は、前記の諸点に鑑みてなされたものであり、印字用フォーマットで表示された所定データを、実際に印字することなく簡単な操作でオペレータに確認させることができる制御装置及びプリンタを提供することを目的とする。
【課題を解決するための手段】
【０００７】
本発明の一態様は、所定データを第１フォーマットで表示する第１表示欄と、前記所定データを第２フォーマットで表示する第２表示欄と、を表示手段に表示させる制御手段を備えることを特徴とする制御装置である。
この構成により、制御手段は、所定データを第１フォーマットで表示する第１表示欄と、前記所定データを第２フォーマットで表示する第２表示欄と、を表示手段に表示させる。これにより、制御装置は、印字用フォーマットで表示された前記所定データを、実際に印字することなく簡単な操作でオペレータに確認させることができる。
【０００８】
また、本発明の一態様は、前記制御手段が、前記所定データを第１字数まで前記第１表示欄に表示させ、前記第１字数よりも多い第２字数まで前記所定データを前記第２表示欄に表示させることを特徴とする制御装置である。
これにより、制御装置は、表示欄の大きさが制限される場合でも、字数が多い前記所定データをオペレータに内容確認させることができる。
【０００９】
また、本発明の一態様は、操作入力を受け付ける操作手段を前記第１表示欄に備え、前記制御手段が、前記操作手段が操作入力を受け付けた場合、前記第２表示欄を表示させることを特徴とする制御装置である。
これにより、制御装置は、第２表示欄を表示させる操作手段が第１表示欄に備わっているので、第１表示欄から別の表示に切り換えさせてから第２表示欄を改めて表示させるための操作をオペレータがしなくて済み、操作性を向上させつつ、第２表示欄を表示させることができる。また、第２表示欄を表示させるための操作手段が設けられている項目だけについて、制御装置が第２表示欄を表示することができるので、オペレータは、全ての印字データが表示される等に比べて、自分が確認したい項目を複数の項目から探す等の手間もなく、確認したい項目だけを迅速に確認することができる。
【００１０】
また、本発明の一態様は、前記制御手段が、前記操作手段としてのアイコン画像を前記第１表示欄に表示させることを特徴とする制御装置である。
これにより、制御装置は、限られた広さの画面に、前記操作手段としてのアイコン画像を表示させることができる。また、オペレータは、前記操作手段がアイコン画像として表示されるので、第２の表示欄を表示させるために何処を操作すべきかを、容易に把握することができる。
【００１１】
また、本発明の一態様は、制御装置と、前記所定データを前記第２フォーマットで媒体に印字する印字手段と、を備えることを特徴とするプリンタである。
この構成により、制御手段は、所定データを第１フォーマットで表示する第１表示欄と、前記所定データを第２フォーマットで表示する第２表示欄と、を表示手段に表示させる。また、印字手段は、前記所定データを前記第２フォーマットで媒体に印字する。
これにより、プリンタは、印字用フォーマットで表示された前記所定データを、実際に印字することなく簡単な操作でオペレータに確認させることができる。また、プリンタは、確認された前記所定データを、確認された印字用フォーマットで媒体に印字することができる。
【発明の効果】
【００１２】
本発明によれば、制御手段は、所定データを第１フォーマットで表示する第１表示欄と、前記所定データを第２フォーマットで表示する第２表示欄と、を表示手段に表示させる。これにより、制御装置及びプリンタは、印字用フォーマットで表示された所定データを、実際に印字することなく簡単な操作でオペレータに確認させることができる。
【図面の簡単な説明】
【００１３】
【図１】本発明の一実施形態における、ラベルプリンタの構成例を示すブロック図である。
【図２】本発明の一実施形態における、商品ファイルの例を示す表である。
【図３】本発明の一実施形態における、フォーマットファイルの例を示す表である。
【図４】本発明の一実施形態における、値付け画面の表示例を示す図である。
【図５】本発明の一実施形態における、プレビュー欄の表示例を示す図である。
【図６】本発明の一実施形態における、ラベルプリンタの動作手順例を示すフローチャートである。
【発明を実施するための形態】
【００１４】
本発明の一実施形態について図面を参照して詳細に説明する。プリンタ（例えば、ラベルプリンタ）を制御する制御装置は、印字データ（例えば、品名）を表示用フォーマットで表示する第１表示欄と、印字用フォーマットで印字データを表示する第２表示欄（プレビュー欄）と、を表示器に表示させる。これにより、制御装置及びプリンタは、表示欄の大きさが制限される場合でも、印字用フォーマットでプレビュー欄に表示された印字データを、印字前にオペレータに確認させることができる。
【００１５】
図１には、ラベルプリンタの構成例が、ブロック図により示されている。ラベルプリンタ１は、制御装置１００と、はかり２と、印字機構部３と、操作部５とを備える。
はかり２は、ロードセル２ａを有する。ロードセル２ａは、商品の重量を計測し、商品の重量を示す信号を制御装置１００に出力する。
印字機構部３は、制御装置１００による制御に基づいて、印字データを印字用フォーマットでラベル（媒体）に印字し、印字されたラベルを発行する。
【００１６】
操作部５は、キー操作部７と、タッチパネル９とを有する。キー操作部７は、オペレータによる操作入力を受け付け、キー操作部７を介した操作入力に応じた信号を、制御装置１００に出力する。タッチパネル９は、オペレータによる操作入力（例えば、アイコン画像を押下する操作）を受け付け、タッチパネル９を介した操作入力に応じた信号を、制御装置１００に出力する。
【００１７】
操作部５は、液晶表示器９ｂ（表示手段）を有する。液晶表示器９ｂは、タッチパネル９と一体に備えられ、制御装置１００による制御に基づいて、画像を表示する。液晶表示器９ｂの解像度は、例えば、６４０×４８０［ドット］である。なお、表示手段は、液晶による表示器に限らず、例えば、有機ＥＬ（Ｅｌｅｃｔｒｏ Ｌｕｍｉｎｅｓｃｅｎｃｅ）による表示器でもよい。
【００１８】
制御装置１００は、ラベルプリンタ１の各部を制御する。制御装置１００は、ＣＰＵ２０（Ｃｅｎｔｒａｌ Ｐｒｏｃｅｓｓｉｎｇ Ｕｎｉｔ）と、ロードセル制御部２１と、印字制御部２２と、操作制御部２４と、表示制御部２５と、ＲＡＭ３０（Ｒａｎｄｏｍ Ａｃｃｅｓｓ Ｍｅｍｏｒｙ）と、ＲＯＭ４０（Ｒｅａｄ Ｏｎｌｙ Ｍｅｍｏｒｙ）とを有する。
【００１９】
ＲＯＭ４０は、制御プログラムを予め記憶する。ＲＯＭ４０は、制御装置１００の電源が投入され、電力が供給された際、制御プログラムをＲＡＭ３０に展開する。
【００２０】
ロードセル制御部２１には、商品の重量を示す信号が、はかり２のロードセル２ａから入力される。ロードセル制御部２１は、商品の重量を示す信号を、ＣＰＵ２０に転送する。
印字制御部２２は、ＣＰＵ２０による制御に基づいて画像処理（例えば、ビットマップ処理）を実行し、印字機構部３を制御する。例えば、印字制御部２２は、予め定められた印字用フォーマット（図３を用いて後述する）で印字データをラベルに印字するよう、印字機構部３を制御する。なお、印字制御部２２には、印字結果を示す信号が、印字機構部３から入力されてもよい。
【００２１】
表示制御部２５は、ＣＰＵ２０による制御に基づいて画像処理を実行する。また、表示制御部２５は、画像処理された各種画面（図４及び図５を用いて後述する）を表示するよう、液晶表示器９ｂを制御する。
【００２２】
操作制御部２４には、キー操作部７を介した操作入力に応じた信号が、操作部５のキー操作部７から入力される。例えば、操作制御部２４は、値段を示す信号がキー操作部７から入力された場合、値段を示す信号をＣＰＵ２０に転送する。操作制御部２４には、タッチパネル９ａを介した操作入力に応じた信号が、操作部５のタッチパネル９ａから入力される。例えば、操作制御部２４は、プレビューの実行を指示するプレビュー指示信号がタッチパネル９ａから入力された場合、プレビュー指示信号をＣＰＵ２０に転送する。
【００２３】
ＲＡＭ３０は、各種データを一時記憶する。例えば、ＲＡＭ３０は、ＲＯＭ４０から展開された制御プログラムを一時記憶する。また、例えば、ＲＡＭ３０は、商品ファイルと、フォーマットファイルとを一時記憶する。
【００２４】
図２には、商品ファイルの例が、表により示されている。商品ファイルの項目には、一例として、商品番号と、品名と、値段と、フォーマット番号とがある。これらの項目は、互いに対応付けられている。
【００２５】
商品ファイルにおいて、商品番号は、商品の識別番号を示す。品名は、商品の品名を示す。ここで、品名には改行コードが含まれていてもよい。値段は、商品の値段を示す。フォーマット番号は、印字データ（図２では、品名）が印字される際に使用される印字用フォーマットの番号を示す。
【００２６】
図２では、一例として、品名「鹿児島県産（改行）ロースステーキ」は、フォーマット番号「１」に対応付けられている。ここで、品名「鹿児島県産（改行）ロースステーキ」は、改行コード（改行）により、１行目「鹿児島県産」と、２行目「ロースステーキ」とに区分されている。なお、改行コード自体は、表示及び印字されないものとする。
【００２７】
図３には、フォーマットファイル（印字用フォーマット）の例が、表により示されている。フォーマットファイルの項目には、一例として、フォーマット番号と、印字データと、印字位置（Ｘ座標）と、印字位置（Ｙ座標）と、印字向き（縦／横）と、書体とがある。これらの項目は、互いに対応付けられている。
【００２８】
フォーマットファイル（印字用フォーマット）において、フォーマット番号は、商品ファイル（図２を参照）におけるフォーマット番号を示す。印字データは、ラベル（媒体）に印字する行毎の品名を示す。なお、印字データは、品名に限らなくてもよく、例えば、商品の加工日、商品の賞味期限でもよい。印字位置（Ｘ座標）は、ラベルに印字される印字データの位置のＸ座標を示す。印字位置（Ｙ座標）は、ラベルに印字される印字データの位置のＹ座標を示す。印字向きは、ラベルに印字される印字データの向き（縦又は横）を示す。書体は、ラベルに印字される印字データに使用される印字書体（例えば、ゴシック体、色反転ゴシック体）を示す。
【００２９】
図３に示す例において、フォーマット番号「１」では、品名（１行目）に書体「色反転ゴシック体」が対応付けられ、品名（２行目）に書体「ゴシック体」が対応付けられている。また、図３に示す例において、フォーマット番号「２」では、品名（１行目）に書体「ゴシック体」が対応付けられ、品名（２行目）に書体「ゴシック体」が対応付けられている。ここで、書体及びフォントは、行毎、文字毎、又は単語毎に定められてもよい。
【００３０】
図１に戻り、制御装置１００の構成例の説明を続ける。ＣＰＵ２０は、バスを介して制御装置１００の各部と接続されている。ＣＰＵ２０は、ＲＡＭ３０に展開された制御プログラムに基づいて、制御装置１００の各部を制御する。また、ＣＰＵ２０は、各種データをＲＡＭ３０に記憶させる。
【００３１】
図４には、値付け画面の表示例が示されている。値付け画面とは、オペレータが商品の値段を商品ファイルに登録するための操作画面である。図４に示す例では、値付け画面には、品名を表示する品名表示欄２００（第１表示欄）と、値段を表示する値段表示欄５００（第３表示欄）とが、混在して表示されている。
【００３２】
ＣＰＵ２０は、印字データの一例としての品名を、予め定められた表示用フォーマットとしての第１字数（例えば、５文字）まで、品名表示欄２００に表示させる。ここで、ＣＰＵ２０は、予め定められた表示用フォーマットとしての書体（例えば、ゴシック体）で、品名を品名表示欄２００に表示させる。つまり、表示用フォーマットは、印字用フォーマットとは異なり、一定の書体で一定の文字数内の文字列を表示するためのフォーマットである。
【００３３】
ＣＰＵ２０には、操作入力に応じた信号が、操作制御部２４から入力される。操作入力に応じた信号には、例えば、プレビュー指示信号と、商品の値段を示す信号とがある。ＣＰＵ２０は、品名表示欄２００に表示されている品名が示す商品について、その商品の値段を、その品名又は商品番号に対応付けて、商品ファイル（図２を参照）に登録する。
【００３４】
ＣＰＵ２０は、アイコン画像３００を、品名表示欄２００に表示させる。アイコン画像３００は、オペレータによる操作が可能である。アイコン画像３００が操作された場合、ＣＰＵ２０には、プレビュー指示信号が、操作制御部２４から入力される。ＣＰＵ２０は、プレビュー指示信号が入力された場合、プレビュー欄を表示する指示信号を、表示制御部２５（図１を参照）に出力する。
【００３５】
図５には、プレビュー欄の表示例が示されている。ＣＰＵ２０は、印字データの一例としての品名を、第１字数よりも多い第２字数（例えば、２５６文字）まで、プレビュー欄４００（第２表示欄）に表示させる。ここで、ＣＰＵ２０は、商品ファイル（図２を参照）において、商品番号「０００１００」及び品名「鹿児島県産（改行）ロースステーキ」に対応付けられているフォーマット番号「１」を選択する。
【００３６】
ＣＰＵ２０は、選択したフォーマット番号「１」がフォーマットファイル（図３を参照）において対応付けられている各項目に基づいて、品名「鹿児島県産（改行）ロースステーキ」を、プレビュー欄４００に表示させる。より具体的には、ＣＰＵ２０は、品名の１行目「鹿児島県産」を第２書体（図５では、色反転ゴシック体）で、且つ、品名の２行目「ロースステーキ」を第１書体（図５では、ゴシック体）で、ビットマップ展開されたデータをプレビュー欄４００に表示させる。ここで、ＣＰＵ２０は、品名表示欄２００の近傍（例えば、直下）に、プレビュー欄をプルダウン表示させてもよい。ＣＰＵ２０は、他の表示欄（例えば、値段表示欄５００）を覆うように、プレビュー欄４００を表示させてもよい。また、プレビュー欄４００は、半透明でもよい。
【００３７】
オペレータは、品名表示欄２００内にアイコン画像３００が表示されている状態（図４を参照）で、アイコン画像３００をタッチすることにより、確認したい品名だけを、実際に印字されるフォーマットで表示させることができる。これにより、オペレータは、自分が確認したい項目を、複数表示される中から探すといった手間や時間を必要とせず、実際に印字されるフォーマットで迅速に確認することができる。
【００３８】
このように、実際に印字される印字データは、品名表示欄２００内に位置するアイコン画像３００（図５を参照）をユーザが押下操作することにより、実際に印字される書体及び文字数で、プレビュー欄４００に表示される。これにより、オペレータは、値付け画面のページを切り換える、又は、ラベルプリンタ１を別の動作モードに入れてから印字データを確認する等の手間無く、実際に印字される印字データを容易に確認することができる。しかも、アイコン画像３００が、品名表示欄２００の近傍に表示されるので、ユーザは、実際に印字される内容と、品名表示欄２００内に表示される内容との比較も容易にすることができ、印字される内容を確実に確認した後に、ラベルプリンタ１からラベルを発行させることができる。
【００３９】
図６は、ラベルプリンタの動作手順例を示すフローチャートである。
（ステップＳ１）制御部１００の操作制御部２４（図１を参照）は、値付けモード画面を表示させるための操作入力を、操作部５を介して受け付ける。操作制御部２４は、値付けモード画面を表示させる指示信号を、ＣＰＵ２０に出力する。ＣＰＵ２０は、値付けモード画面を表示させる指示信号に基づいて、値付けモード画面を液晶表示器９ｂに表示させる。
【００４０】
（ステップＳ２）ＣＰＵ２０は、商品ファイル（図２を参照）を、ＲＡＭ３０から読み込む。
（ステップＳ３）ＣＰＵ２０は、値付けモード画面の品名表示欄２００（図５を参照）に、表示用フォーマットで品名を表示させる。
（ステップＳ４）ＣＰＵ２０は、プレビュー指示信号を受信したか否かを判定する。プレビュー指示信号を受信した場合（ステップＳ４：Ｙｅｓ）、ＣＰＵ２０は、ステップＳ５に処理を進める。一方、プレビュー指示信号を受信していない場合（ステップＳ４：Ｎｏ）、ＣＰＵ２０は、ステップＳ７に処理を進める。
【００４１】
（ステップＳ５）ＣＰＵ２０は、フォーマットファイル（図３を参照）を、ＲＡＭ３０から読み込む。
（ステップＳ６）ＣＰＵ２０は、印字用フォーマットで品名をプレビュー欄４００（図５を参照）に表示する。ここで、プレビュー欄４００は、品名表示欄２００の近傍（例えば、直下）に表示されてもよい。また、プレビュー欄４００は、他のデータの表示欄（例えば、値段表示欄）を覆うように表示されてもよい。
【００４２】
（ステップＳ７）ＣＰＵ２０は、処理を終了する終了指示信号を受信したか否かを判定する。終了指示信号を受信した場合（ステップＳ７：Ｙｅｓ）、ＣＰＵ２０は、処理を終了する。一方、終了指示信号を受信していない場合（ステップＳ７：Ｎｏ）、ＣＰＵ２０は、ステップＳ２に処理を戻す。
【００４３】
以上のように、制御装置１００は、印字データ（例えば、品名）を表示用フォーマットで表示する品名表示欄２００と、印字データを印字用フォーマットで表示するプレビュー欄４００と、を液晶表示器９ｂに表示させるＣＰＵ２０及び表示制御部２５を備える。
【００４４】
この構成により、ＣＰＵ２０及び表示制御部２５は、印字データを表示用フォーマットで表示する品名表示欄２００と、印字データを印字用フォーマットで表示するプレビュー欄４００と、を液晶表示器９ｂに表示させる。
これにより、制御装置１００は、表示欄の大きさが制限される場合でも、印字用フォーマットで表示された印字データをオペレータに確認させることができる。すなわち、制御装置１００は、ラベルに印字される印字データが複数行に亘っていても、プレビュー欄４００に印字データを全て表示するので、文字数の多い印字データをオペレータに確認させることができる。また、制御装置１００は、印字用に文字が修飾（装飾）された印字データを、オペレータに確認させることができる。
【００４５】
また、制御装置１００は、印字用フォーマットでは印字データの文字がサイズ変更又は強調（色反転など）される場合でも、品名表示欄２００には表示用フォーマットで印字データを表示するので、読みやすい書体で表示された印字データをオペレータに確認させることができる。
【００４６】
以上、この発明の実施形態について図面を参照して詳述してきたが、具体的な構成はこの実施形態に限られるものではなく、この発明の要旨を逸脱しない範囲の設計等も含まれる。
【００４７】
例えば、ラベルプリンタ１は、肉や魚等が詰められたトレイを包装する包装装置に備えられてもよい。ラベルプリンタ１から発行されたラベルは、前記包装装置により包装された包装物に貼付されてもよい。
また、例えば、ラベルプリンタ１は、コンベア上を搬送される対象物（肉や魚等が詰められ包装されたトレイ等）にラベルを貼付するラベル自動貼付装置に備えられてもよい。
【００４８】
また、例えば、品名表示欄２００及びプレビュー欄４００には、商品の名称（品名）に限らず、他の項目が表示されてもよい。例えば、品名表示欄２００及びプレビュー欄４００には、商品についての広告文が表示されてもよい。ここで、広告文は、目立つように、その書体が斜体とされたり、文字を囲むような装飾が施されてもよい。これにより、オペレータは、実際に印字される広告文だけを、容易に確認することができる。
【００４９】
また、例えば、現在呼び出されている商品に「産地」や「広告文」などのデータが設定されている場合、値付け画面（図４を参照）は、それぞれのデータの識別情報を表示するための表示領域を有している。さらに、値付け画面は、それぞれのデータを一定のフォント等で表示するための表示領域を有し、該表示領域には上記の実施形態のアイコン画像３００が表示されるようにしてもよい。そして、オペレータがアイコン画像３００を押下することで、「産地」及び「広告文」は、上記の実施形態においてプレビュー欄４００に表示されているように、印字されるフォーマットで表示されるようにしてもよい。つまり、プレビュー欄４００に表示される項目は、特定の項目に限定されるものではない。また、プレビュー欄４００に表示される項目の位置及び数なども、特定の位置及び数に限定されるものではない。
【００５０】
上記の実施形態で示した制御装置及びプリンタに関し、以下の付記を開示する。
【００５１】
（付記項１）
所定データを第１フォーマットで表示する第１表示欄と、前記所定データを第２フォーマットで表示する第２表示欄と、を表示手段に表示させる制御手段
を備えることを特徴とする制御装置。
この構成により、制御手段は、所定データを第１フォーマットで表示する第１表示欄と、前記所定データを第２フォーマットで表示する第２表示欄と、を表示手段に表示させる。これにより、制御装置は、表示欄の大きさが制限される場合でも、実際に印字することなく印字用フォーマットで表示された前記所定データをオペレータに確認させることができる。
【００５２】
（付記項２）
前記制御手段は、前記所定データを第１字数まで前記第１表示欄に表示させ、前記第１字数よりも多い第２字数まで前記所定データを前記第２表示欄に表示させることを特徴とする付記項１に記載の制御装置。
これにより、制御装置は、表示欄の大きさが制限される場合でも、字数が多い前記所定データをオペレータに内容確認させることができる。
【００５３】
（付記項３）
前記制御手段は、前記所定データを第１書体で前記第１表示欄に表示させ、前記所定データを第２書体で前記第２表示欄に表示させることを特徴とする付記項１又は付記項２に記載の制御装置。
これにより、制御装置は、表示欄の大きさが制限される場合でも、印字用の書体で表示された前記所定データを、オペレータに目視確認させることができる。
【００５４】
（付記項４）
前記制御手段は、前記第１表示欄の近傍に前記第２表示欄を表示させることを特徴とする付記項１から付記項３のいずれか一項に記載の制御装置。
これにより、制御装置は、表示欄の大きさが制限される場合でも、前記所定データをオペレータに見易く確認させることができる。
【００５５】
（付記項５）
前記制御手段は、前記第１表示欄の直下に前記第２表示欄を表示させることを特徴とする付記項４に記載の制御装置。
これにより、制御装置は、表示欄の大きさが制限される場合でも、前記所定データをオペレータに見易く確認させることができる。
【００５６】
（付記項６）
前記制御手段は、第１表示欄を覆うように前記第２表示欄を表示させることを特徴とする付記項１から付記項５のいずれか一項に記載の制御装置。
これにより、制御装置は、表示欄の大きさが制限される場合で、第２表示欄に表示される印字データが大幅に多い場合であっても、前記所定データをオペレータに見易く確認させることができる。
【００５７】
（付記項７）
操作入力を受け付ける操作手段
を備え、
前記制御手段は、前記操作手段が操作入力を受け付けた場合、前記第２表示欄を表示させることを特徴とする付記項１から付記項６のいずれか一項に記載の制御装置。
これにより、制御装置は、操作手段が操作入力されたときに、前記第２表示欄を表示させることができる。つまり、操作手段を操作しないときは、前記第２表示欄を表示させないようにすることができるので、表示上のスペースを多く取る必要が無くなる。
【００５８】
（付記項８）
前記制御手段は、前記操作手段としてのアイコン画像を前記第１表示欄に表示させることを特徴とする付記項６に記載の制御装置。
これにより、制御装置は、限られた広さの画面に、前記操作手段としてのアイコン画像を表示させることができるので、アイコン画像を小さなアイコン画像とすることができ、それを操作することで、第２表示欄が表示されるようになるので、第２表示欄が表示されるような大きな画像を予め用意しておく必要がなく、表示スペースを有効に利用することができる。また、オペレータは、品名表示欄２００内にアイコン画像３００が表示されている状態で、アイコン画像３００をタッチすることにより、確認したい品名だけを、実際に印字されるフォーマットで表示させることができる。これにより、オペレータは、自分が確認したい項目を、複数表示される中から探すといった手間や時間を必要とせず、実際に印字されるフォーマットで迅速に確認することができる。
【００５９】
（付記項９）
付記項１から付記項８のいずれか一項に記載の制御装置と、
前記所定データを前記第２フォーマットで媒体に印字する印字手段と、
を備えることを特徴とするとプリンタ。
これにより、プリンタは、表示欄の大きさが制限される場合でも、印字用フォーマットで表示された前記所定データを、実際にすることなくオペレータに確認させることができる。また、プリンタは、確認された前記所定データを、確認された印字用フォーマットで媒体に印字することができる。
【００６０】
なお、上記に説明した制御装置及びプリンタを実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００６１】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【００６３】
１…ラベルプリンタ  ２…はかり  ２ａ…ロードセル  ３…印字機構部  ５…操作部  ７…キー操作部  ９ａ…タッチパネル  ９ｂ…液晶表示器（表示手段）  ２０…ＣＰＵ（制御手段）  ２１…ロードセル制御部  ２２…印字制御部  ３０…ＲＡＭ  ２４…操作制御部  ２５…表示制御部  ４０…ＲＯＭ  １００…制御装置  ２００…品名表示欄  ３００…アイコン画像  ４００…プレビュー欄  ５００…値段表示欄
【図１】
2014104706.tif 000003
【図２】
2014104706.tif 000004
【図３】
2014104706.tif 000005
【図４】
2014104706.tif 000006
【図５】
2014104706.tif 000007
【図６】
2014104706.tif 000008